(57)【要約】 【課題】  筐体と回路基板とが確実に接地および固定されており、筐体歪みが少ない、信頼性の高い光ピックアップ装置およびそれを用いた情報記録再生装置を提供する。【解決手段】  光ピックアップ装置１においては、筐体２上に、回路基板３および第１緩衝部材７の順番に重ねられ、固定部材５によって接合固定されている。回路基板３の筐体２に臨む面には、接地導体６が設けられ、固定部材５が押圧することによって接地導体６は筐体２に確実に接地される。第１緩衝部材７が設けられていることによって、固定部材５による押圧力は軽減され、筐体２の歪みを抑え、光ピックアップの出射光の光軸がずれて光ピックアップ装置１の信頼性が損なわれることを防ぐことができる。【選択図】      図１
2008112478.tif 000002
【特許請求の範囲】
【請求項１】
導電性材料から成る筐体と、
前記筐体に臨む面に接地導体が設けられている回路基板と、
前記回路基板の前記筐体に臨む面と反対側の面に設けられている第１緩衝部材と、
前記回路基板および前記第１緩衝部材を前記筐体に押圧することによって固定する固定部材とを含んで構成され、
前記筐体と前記接地導体とが電気的に接続されていることを特徴とする光ピックアップ装置。
【請求項２】
前記回路基板はフレキシブルプリント基板であることを特徴とする請求項１に記載の光ピックアップ装置。
【請求項３】
前記第１緩衝部材の材料はゴム材であることを特徴とする請求項１または２に記載の光ピックアップ装置。
【請求項４】
前記第１緩衝部材の前記回路基板に臨む面と反対側の面に、前記筐体に前記回路基板を押え付ける補強板が設けられていることを特徴とする請求項１〜３のいずれか１つに記載の光ピックアップ装置。
【請求項５】
前記第１緩衝部材は、前記補強板に予め接着されていることを特徴とする請求項４に記載の光ピックアップ装置。
【請求項６】
前記第１緩衝部材は、前記回路基板に予め接着されていることを特徴とする請求項１〜５のいずれか１つに記載の光ピックアップ装置。
【請求項７】
前記第１緩衝部材は、前記フレキシブルプリント基板の一部が折り曲げられてなることを特徴とする請求項２に記載の光ピックアップ装置。
【請求項８】
前記補強板の前記第１緩衝部材に臨む面と反対側の面に第２緩衝部材が設けられていることを特徴とする請求項４に記載の光ピックアップ装置。
【請求項９】
前記第２緩衝部材の材料はゴム材であることを特徴とする請求項８に記載の光ピックアップ装置。
【請求項１０】
前記固定部材は、おねじであることを特徴とする請求項１〜９のいずれか１つに記載の光ピックアップ装置。
【請求項１１】
前記補強板には、前記補強板を厚み方向に貫通し、前記おねじを挿入するための貫通孔が設けられており、
前記貫通孔の周辺にスリットが設けられていることを特徴とする請求項１０に記載の光ピックアップ装置。
【請求項１２】
請求項１〜１１のいずれか１つに記載の光ピックアップ装置が搭載されていることを特徴とする情報記録再生装置。
【発明の詳細な説明】
【技術分野】
【０００１】
本発明は、光ピックアップ装置およびそれを用いた情報記録再生装置に関し、たとえばオーディオビジュアル機器などに使用される光ピックアップ装置およびそれを用いた情報記録再生装置に関する。
【背景技術】
【０００２】
光ピックアップ装置は、ＣＤ（Compact Disk）またはＤＶＤ（Digital Versatile 
Disk）の両記録メディアまたはいずれか一方の記録、再生および消去のために受発光一体型素子を利用している。
【０００３】
図１２は、従来の光ピックアップ装置１１０を示す概略図である。受発光一体型素子１１１から出射された出射光は、ダイクロイックプリズム１１２を反射または透過し、コリメートレンズ１１３を通過する際に平行光となった後、立ち上げミラー１１４で集光レンズ方向に反射される。その後液晶素子１１６を透過する際に、光ディスク１１８の傾きまたはディスク板厚のばらつきに起因して発生する収差を液晶の複屈折を利用して補正される。駆動制御可能なレンズ設置台１１５に取り付けられた対物レンズ１１７を通過する際に、平行光は収束光となり、記録媒体であるディスク１１８上の信号面の一点で収束し反射される。
【０００４】
従来技術においては、レンズ設置台１１５の調整を行うことにより光学的な収差つまりコマ収差の除去を行っている。反射光は再び対物レンズ１１７を通過して戻る際に平行光となり、立ち上げミラー１１４で反射されコリメートレンズ１１３を通過しダイクロイックプリズム１１２を反射または透過して往路と逆の順路で受発光一体型素子１１１に戻る。戻り光は受発光一体型素子１１１表面の回折格子で分光され受光部に至り、光信号から電気信号へと変換され、情報の再生、記録および消去に、またはサーボ信号として利用される。これらの光学部品は、筐体１１９に取り付けられている。光ピックアップ装置１１０に電力および電気信号を送るために、光ピックアップ装置１１０は、筐体１１９を介して図示しない回路基板と電気的に接続され、接地されている。
【０００５】
従来の光ピックアップ装置は、複数の凸状の接地ランドが形成されたフレキシブルプリント配線基板を、ピックアップボディに巻きつけ、ねじで固定することによってフレキシブルプリント配線基板を筐体に確実に接地している（特許文献１参照）。
【０００６】
また従来の光ピックアップ装置は、ハウジングの上面の一部に、フレキシブルプリント配線基板が、補強板と接していない状態で直接固定用ねじによってハウジングに形成された凸部に締結されていることによって、ハウジングの変形は軽減され、光軸がずれることを抑制している（特許文献２参照）。
【０００７】
図１３は、従来の光ピックアップ装置１１０の構成を簡略化して示す平面図である。筐体１０２、回路基板１０３、補強板１０４および固定部材１０５を含んで構成される。
【０００８】
図１４は、従来の光ピックアップ装置１１０を示す概略図であり、図１３の切断面線Ｂ−Ｂからみた断面図である。筐体１０２上に、回路基板１０３および補強板１０４の順番に重なり、これらは固定部材１０５によって筐体１０２に接合されている。回路基板１０３の筐体１０２に臨む面には、接地導体１０６が設けられている。
【０００９】
【特許文献１】特開２００５−２８５２３３号公報
【特許文献２】特開平５−１６６２１４号公報
【発明の開示】
【発明が解決しようとする課題】
【００１０】
図１２に示すように光ピックアップ装置１１０の光学部品は筐体１１９に取り付けられており、図１３および図１４における固定部材１０５の強い押圧力によって、または固定部材１０５がおねじである場合、おねじを締めるときの強いトルクによって、筐体１０２に歪みが生じると、その歪みの影響を受けて光ピックアップ装置１１０の光軸がずれて、光ピックアップ装置１１０の信頼性が損なわれる。いずれの特許文献が開示する光ピックアップ装置においても、ねじ止めの際の強いトルクによって筐体歪みが生じる。
【００１１】
本発明の目的は、筐体と回路基板とが確実に接地および固定されており、筐体歪みが少ない、信頼性の高い光ピックアップ装置および情報記録再生装置を提供することにある。
【課題を解決するための手段】
【００１２】
本発明は、導電性材料から成る筐体と、
前記筐体に臨む面に接地導体が設けられている回路基板と、
前記回路基板の前記筐体に臨む面と反対側の面に設けられている第１緩衝部材と、
前記回路基板および前記第１緩衝部材を前記筐体に押圧することによって固定する固定部材とを含んで構成され、
前記筐体と前記接地導体とが電気的に接続されていることを特徴とする光ピックアップ装置である。
【００１３】
また本発明は、前記回路基板はフレキシブルプリント基板であることを特徴とする。
また本発明は、前記第１緩衝部材の材料はゴム材であることを特徴とする。
【００１４】
また本発明は、前記第１緩衝部材の前記回路基板に臨む面と反対側の面に、前記筐体に前記回路基板を押え付ける補強板が設けられていることを特徴とする。
【００１５】
また本発明は、前記第１緩衝部材は、前記補強板に予め接着されていることを特徴とする。
【００１６】
また本発明は、前記第１緩衝部材は、前記回路基板に予め接着されていることを特徴とする。
【００１７】
また本発明は、前記第１緩衝部材は、前記フレキシブルプリント基板の一部が折り曲げられてなることを特徴とする。
【００１８】
また本発明は、前記補強板の前記第１緩衝部材に臨む面と反対側の面に第２緩衝部材が設けられていることを特徴とする。
【００１９】
また本発明は、前記第２緩衝部材の材料はゴム材であることを特徴とする。
また本発明は、前記固定部材は、おねじであることを特徴とする。
【００２０】
また本発明は、前記補強板には、前記補強板を厚み方向に貫通し、前記おねじを挿入するための貫通孔が設けられており、
前記貫通孔の周辺にスリットが設けられていることを特徴とする。
【００２１】
また本発明は、上記の光ピックアップ装置が搭載されていることを特徴とする情報記録再生装置である。
【発明の効果】
【００２２】
本発明によれば、固定部材によって、回路基板および第１緩衝部材が導電性材料から成る筐体に押圧されて固定され、回路基板の筐体に臨む面に設けられている接地導体が、筐体と接することによって接地される。押圧されることによって筐体と接地導体とは確実に接地される。第１緩衝部材が設けられていることによって、固定部材による押圧力は軽減され、筐体の歪みを抑え、光ピックアップの出射光の光軸がずれて光ピックアップ装置の信頼性が損なわれることを防ぐことができる。
【００２３】
また本発明によれば、回路基板はフレキシブルプリント基板（以下「ＦＰＣ」という）である。ＦＰＣは、Flexible Printed Circuitの略称であり、銅箔の精密エッチングで形成された回路を、絶縁特性や耐熱性に優れるポリイミドフィルムで覆った構造を有する可撓性のある基板であり、加工がしやすく、狭いスペースに電子回路を組み込むことができるので、電子機器の小型化が可能になり基板の形状の自由度が向上する。
【００２４】
また本発明によれば、第１緩衝部材の材料はゴム材である。ゴム材は室温において小さな力で大きな変形を起こし、力を除くと急速にほとんど元の形に戻る性質、すなわちゴム弾性を示す物質であり、伸縮性に優れた高分子材料である。固定部材の押圧力が小さい場合でも、ゴムの弾性力によって筐体と導体とを確実に接地させることができる。
【００２５】
また本発明によれば、第１緩衝部材の回路基板に臨む面と反対側の面には、補強板が設けられているので、回路基板が浮き上がって、他の部品またはディスク等に回路基板が接触することを防ぐ。第１緩衝部材の材料としては、たとえばアルミニウム、ステンレスまたはプラスチックが用いられる。
【００２６】
また本発明によれば、第１緩衝部材は、補強板に予め接着されてもよく、一体的に部品管理できるとともに、第１緩衝部材を個別に固定する必要がないため、製造工程が簡略化される。
【００２７】
また本発明によれば、第１緩衝部材は、回路基板に予め接着されてもよく、一体的に部品管理できるとともに、第１緩衝部材を個別に固定する必要がないため、製造工程が簡略化される。
【００２８】
また本発明によれば、第１緩衝部材は、フレキシブルプリント基板の一部が折り曲げられてなる。ＦＰＣは、銅箔の精密エッチングで形成された回路を、絶縁特性や耐熱性に優れるポリイミドフィルムで覆った構造を有する可撓性のある基板であり、加工がしやすく、狭いスペースに電子回路を組み込むことができるので、電子機器の小型化が可能になり基板の形状の自由度が向上する。幾重にも折り曲げられたＦＰＣの一部に弾性力が加わることによって、固定部材による押圧力は軽減され、筐体の歪みを抑えることができるので、光ピックアップの出射光の光軸がずれて光ピックアップ装置の信頼性が損なわれることを防ぐことができる。また、第１緩衝部材をフレキシブルプリント基板の一部で代用することにより、部品点数を減らすことができるため、部品管理の手間が低減できる。
【００２９】
また本発明によれば、補強板の第１緩衝部材に臨む面と反対側の面に第２緩衝部材が設けられているので、固定部材による押圧力は軽減され、筐体の歪みを抑えることができるので、光ピックアップの出射光の光軸がずれて光ピックアップ装置の信頼性が損なわれることを防ぐことができる。
【００３０】
また本発明によれば、第２緩衝部材の材料はゴム材である。ゴム材は室温において小さな力で大きい変形を起こし、力を除くと急速にほとんど元の形に戻る性質、すなわちゴム弾性を示す物質であり、伸縮性に優れた高分子材料である。固定部材の押圧力が小さい場合でも、ゴムの弾性力によって筐体と導体とを確実に接地させることができる。また固定部材がゴム材からなる第２緩衝部材にめり込むことによって、固定部材が緩むことを防止することができる。
【００３１】
また本発明によれば、固定部材は、おねじである。おねじとは円筒の外表面つまり棒状の本体の表面にねじ山を刻んだものをいい、締め付け力が強いので、安定して対象物を固定することができる。
【００３２】
また本発明によれば、補強板には、固定部材であるおねじを挿入するための貫通孔が設けられ、さらに貫通孔の周辺にはスリットが設けられている。固定部材であるおねじを挿入するための貫通孔が設けられていることで、固定部材であるおねじのトルクによって補強板が歪み、筐体にその影響が及ぶことを防ぐことができる。さらに貫通孔の周辺にスリットが設けられていることによって、補強板から筐体に及ぶ力はさらに軽減され、筺体が歪むことを防止することができる。
【００３３】
また本発明によれば、情報記録再生装置には上記の効果を備えるいずれかの光ピックアップ装置が搭載される。これらの光ピックアップ装置は、筐体の歪みが小さく光軸のずれによる誤差が少ないので、信頼性が高く、これらの光ピックアップ装置が搭載された情報記録再生装置は、情報の記録または再生に必要な信号を効率的かつ確実に処理することができる。
【発明を実施するための最良の形態】
【００３４】
以下、図面を参照しながら本発明を実施するための形態を、複数の形態について説明する。以下の説明においては、各形態に先行する形態ですでに説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００３５】
図１は、本発明の光ピックアップ装置１の構成を簡略化して示す図である。図１（ａ）は、光ピックアップ装置１を展開した状態で模式的に示した平面図であり、図１（ｂ）は光ピックアップ装置１の構成を簡略化して示す平面図である。
【００３６】
光ピックアップ装置１においては、図１（ａ）に示すように、筐体２上に、回路基板３および第１緩衝部材７の順番に重ねられ、図１（ｂ）に示すように、固定部材５によって接合されている。
【００３７】
図２は、本発明の第１の実施形態を簡略化して示す概略図であり、図１（ｂ）の切断面線Ａ−Ａからみた断面図である。筐体２上に、回路基板３および第１緩衝部材７の順番に重なり、固定部材５によって押圧されて接合固定されている。回路基板３の筐体２に臨む面には、接地導体６が設けられ、固定部材５が回路基板３および第１緩衝部材７を押圧することによって接地導体６は筐体２に確実に接地される。
【００３８】
固定部材５が押圧することによって筐体２に歪みが生じるおそれがあるが、第１緩衝部材７が設けられていることによって、固定部材５による押圧力は軽減され、筐体２の歪みを抑え、光ピックアップ装置１の出射光の光軸がずれて光ピックアップ装置１の信頼性が損なわれることを防ぐことができる。
【００３９】
筐体２は、たとえば、アルミダイキャストなどの導電性材料から成る。筐体２は接地導体６と導通することで、回路基板３のグランドインピーダンスを下げ、接地電位を安定させることで光ピックアップ装置１の電気的性能を向上させる。回路基板３は、硬質回路基板および、フレキシブルプリント基板が用いられる。
【００４０】
第１緩衝部材７は、天然ゴム、スチレンゴムまたはブチルゴムなどのゴム材からなり、回路基板３を浮き上がらせないようにするために、光ピックアップ装置１の上面に配置された回路基板３を覆う程度の大きさおよび形状であることが望ましい。第１緩衝部材７の大きさおよび形状は、接地導体６と筐体２とが接する部分との大きさおよび形状と同等であってもよい。
【００４１】
第１緩衝部材７の厚みについては、小さすぎると、固定部材５による押圧力を十分に軽減することができず、筐体２の歪みを抑えることができなくなり、さらに第１緩衝部材７が固定部材５の押圧力によって破損するおそれがある。また厚みが大きすぎると、光ピックアップ装置１が大きくなり情報記録再生装置の内部空間を占める割合が大きくなり、再生装置に備えられる他の部品または情報記録再生用ディスクなどに接してしまい、光ピックアップ装置１の電気的性能を損なうおそれがある。そこで第１緩衝部材７の厚みは、０．２ｍｍ以上１．０ｍｍ以下とすることが望ましい。
【００４２】
固定部材５には、おねじが用いられる。おねじとは円柱の外表面つまり棒状の本体の表面にねじ山を刻んだものをいい、トルクによる締め付け力が強いので、安定して対象物を固定することができる。トルクとは、物体を固定された回転軸を中心に回転運動をさせるときに、回転軸のまわりの力のモーメント、つまり力の能率のことで、ねじりモーメントとも呼ばれる。したがって、トルクは、力と距離の積で表され、力の単位はニュートン（Ｎ）だが、トルクの単位はニュートンメートル（Ｎ・ｍ）である。トルクはおもに工学、とくにエンジン・電動機・発電機・タービンなどの機械・機械工学などで用いられることが多い。物体を回転させるために必要な力は、どこを押すかによって異なり、一般に回転軸つまり中心からの距離に反比例する。一方物体をある角度だけ回転させるトルクは、力を作用させる点によらない量であり、一定である。トルクは、物体に加わる力と、回転の軸からみた力の加わる点までの距離との積で定義される。
【００４３】
おねじによって、回路基板３および第１緩衝部材７を筐体２に固定するには、筐体２の対応する箇所にめねじを切っておいて螺入するか、筐体２に貫通孔を設けておき、回路基板３とは反対側からナットで固定する。
【００４４】
図３は、本発明の第２の実施形態を簡略化して示す概略図である。図２に示す本発明の第１の実施形態に、さらに補強板４が設けられている。筐体２上に、回路基板３、第１緩衝部材７および補強板４の順番に重なり、固定部材５によって接合固定されている。回路基板３の筐体２に臨む面には、接地導体６が設けられ、固定部材５が押圧することによって接地導体６は筐体２に確実に接地される。補強板４は、アルミニウムまたはステンレスなどの金属、あるいはプラスチックからなる。アルミニウムは軽く、加工性に優れており、さらに表面にできる酸化皮膜のため耐食性にも優れている。ステンレスは、さびを防止するように改良されており、耐食性・耐久性・意匠性・耐火性・低温特性・加工性などで非常に優れた特性を備えており、またメンテナンスが容易である。プラスチックは、可塑性を持ち加工性に優れており、軽い。
【００４５】
これらの材料を用いることで容易に加工することができ、補強板４として使用することによって、効率的に回路基板３が浮き上がることを防止することができる。
【００４６】
補強板４は、回路基板３を浮き上がらせないようにするために、光ピックアップ装置１の上面に配置された回路基板３を覆う程度の大きさおよび形状であることが望ましい。回路基板３の大きさおよび形状は、上述した第１緩衝部材７とほぼ同様で、接地導体６と筐体２とが接する部分と大きさおよび形状が同等であってもよい。
【００４７】
補強板４は、回路基板３が浮き上がって他の部品またはディスク等に回路基板３が接触することを防ぐために設けられている。補強板４の厚みが小さすぎると、補強板４が固定部材５の押圧力によって破損するおそれがある。また厚みが大きすぎると、光ピックアップ装置１が大きくなり、情報記録再生装置の内部空間を占める割合が大きくなり、再生装置に備えられる他の部品または情報記録再生用ディスクなどに接してしまい、光ピックアップ装置１の電気的性能を損なうおそれがある。そこで補強板４の厚みは、０．１５ｍｍ以上１．０ｍｍ以下程度とすることが望ましい。
【００４８】
第１の実施形態および第２の実施形態において、第１緩衝部材７は、図４に示すように予め回路基板３の、接地導体６が設けられている面と反対側の面に接着されていても構わない。また第２の実施形態において、第１緩衝部材７は、図５に示すように予め補強板４の回路基板３に臨む面に接着されていても構わない。いずれの場合にも、製造工程の簡略化が実現される。
【００４９】
図６は、本発明の第３の実施形態を簡略化して示す概略図である。筐体２上に、回路基板３および補強板４の順番に重なり、固定部材５によって接合されている。回路基板３は、フレキシブルプリント基板であり、その一部が幾重にも折れ曲がっている。回路基板３の筐体２に臨む部分には、接地導体６が設けられ、固定部材５が押圧することによって接地導体６は筐体２に確実に接地される。
【００５０】
回路基板３が幾重にも折れ曲がっていることで、第２の実施形態における、第１緩衝部材７と同じように、固定部材５による押圧力を軽減し、筐体２の歪みを抑える効果がある。回路基板３は、接地導体６が設けられている部分に対応する部分で折り曲げられ、ばねのように弾性力を有するので、固定部材５による押圧力を軽減する。
【００５１】
図７は、本発明の第３の実施形態を展開した状態で模式的に示した平面図であり、回路基板３は、フレキシブルプリント基板で構成される。折り曲げられる前の段階では、回路基板３の形状は、固定部材５付近の周縁部で、固定部材５とは反対側の外方に延びて突出する帯状である。この帯状部分は、破線部を折り目として幾重にも折り曲げられ、筐体２と補強板４との間でばねの如く機能する。
【００５２】
図８は、本発明の第４の実施形態を簡略化して示す概略図である。図３に示す本発明の第２の実施形態に、さらに第２緩衝部材８が設けられている。筐体２上に、回路基板３、第１緩衝部材７、補強板４および第２緩衝部材８の順番に重なり、固定部材５によって接合固定されている。
【００５３】
回路基板３の筐体２に臨む部分には、接地導体６が設けられ、固定部材５が押圧することによって接地導体６は筐体２に確実に接地される。第２緩衝部材８が設けられていることによって、固定部材５による押圧力はさらに軽減され、筐体２の歪みを抑え、光ピックアップの出射光の光軸がずれて光ピックアップ装置１の信頼性が損なわれることを防ぐことができる。また固定部材５によって固定する際、固定部材５が螺進方向に第２緩衝部材８を圧縮するので、固定部材５が緩むことを防ぐことができる。
【００５４】
第２緩衝部材８は、天然ゴム、スチレンゴムまたはブチルゴムなどのゴム材からなる。固定部材５つまりおねじが第２緩衝部材８を圧縮するためには、固定部材５と補強板４とが直接補強板４の表面で接触しない程度の大きさの第２緩衝部材８が必要とされる。第２緩衝部材８の厚みが小さすぎると、第２緩衝部材８が固定部材５の押圧力によって破損して、固定部材５が補強板４と接触してしまうおそれがある。また厚みが大きすぎると、光ピックアップ装置１が大きくなりスペースをとるので、他の部品またはディスクなどに接してしまい、光ピックアップ装置１の電気的性能を損なうおそれがある。そこで第２緩衝部材８の厚みは、０．８ｍｍ以上１．５ｍｍ以下程度とすることが望ましい。
【００５５】
図９は、本発明の第５の実施形態を展開した状態で模式的に示した平面図であり、図１０（ａ）〜図１０（ｃ）は補強板４の例を示す平面図である。
【００５６】
補強板４には固定部材５を挿入するための貫通孔９が設けられ、さらに貫通孔９の周りにはスリット１０が設けられている。スリット１０を設けることによって、固定部材５が押圧した際に、貫通孔９の周辺部分の変形が許容され、補強板４から筐体２に及ぶ力を軽減させ、筐体２が歪むことを防ぐ。貫通孔９の周りとは、固定状態となったときの固定部材５の頭部分がスリット１０と重ならない範囲をいい、図１０（ａ）に示すように、固定部材５に近い位置が望ましい。図１０（ｂ）に示すように、貫通孔９とスリット１０との位置が近すぎると、固定部材５とスリット１０とが重なってしまい、補強板４から筐体２に及ぶ力を軽減させる効果が弱くなる。また図１０（ｃ）に示すように、貫通孔９とスリット１０との位置が離れすぎても、補強板４から筐体２に及ぶ力を軽減させる効果を発揮できないので、貫通孔９の外周でスリットに一番近い位置からスリット１０の内周で貫通孔に一番近い位置までの距離を数ｍｍから１０ｍｍの範囲にすることが望ましい。
【００５７】
またスリット１０は、貫通孔９を中心に複数箇所設けられ、図９において、スリットの形状は円弧状であるが、矩形状など様々な形状であっても構わない。ただし２つのスリット１０の形状は、貫通孔９の中心を対称点として点対称であることが望ましい。対称でなければ、補強板４から筐体２に及ぶ力を軽減させる効果を十分に発揮できず、さらには補強板４が固定部材５の押圧力の偏りによって破損するおそれがあるからである。
【００５８】
図１１は、補強板４の他の例を示す平面図である。補強板４に設けられているスリット１０は、貫通孔９に近い側の外周は円弧状であり、貫通孔９から遠い側の外周は矩形状である。このようにスリット１０の形状は、円弧状と矩形状とを組み合わせてもよく、様々な形状にすることが可能である。
【図面の簡単な説明】
【００５９】
【図１】本発明の光ピックアップ装置１の構成を簡略化して示す図である。
【図２】本発明の第１の実施形態を簡略化して示す概略図である。
【図３】本発明の第２の実施形態を簡略化して示す概略図である。
【図４】第１緩衝部材の状態を示す図である。
【図５】第１緩衝部材の状態を示す図である。
【図６】本発明の第３の実施形態を簡略化して示す概略図である。
【図７】本発明の第３の実施形態を展開した状態で模式的に示した平面図である。
【図８】本発明の第４の実施形態を簡略化して示す概略図である。
【図９】本発明の第５の実施形態を簡略化して示す平面図である。
【図１０】補強板４の例を示す平面図である。
【図１１】補強板４の他の例を示す平面図である。
【図１２】従来の光ピックアップ装置１１０を示す概略図である。
【図１３】従来の光ピックアップ装置１１０の構成を簡略化して示す平面図である。
【図１４】図１３の切断面線Ｂ−Ｂからみた断面図である。
【符号の説明】
【００６０】
１  光ピックアップ装置
２  筐体
３  回路基板
４  補強板
５  固定部材
６  接地パターン
７  第１緩衝部材
８  第２緩衝部材
９  貫通孔
１０  スリット
【図１】
2008112478.tif 000003
【図２】
2008112478.tif 000004
【図３】
2008112478.tif 000005
【図４】
2008112478.tif 000006
【図５】
2008112478.tif 000007
【図６】
2008112478.tif 000008
【図７】
2008112478.tif 000009
【図８】
2008112478.tif 000010
【図９】
2008112478.tif 000011
【図１０】
2008112478.tif 000012
【図１１】
2008112478.tif 000013
【図１２】
2008112478.tif 000014
【図１３】
2008112478.tif 000015
【図１４】
2008112478.tif 000016